(57)【要約】      （修正有）【課題】印刷ジョブでインサータが使用されている場合でも、シートの損傷を抑えつつ、廃棄シートを抑制した再印刷機能を提供する。【解決手段】インサータが使用されている印刷ジョブでインサータでの用紙無しを検知した際に、印刷を中断し、異常検知前のシートを第１の排紙トレイへ、異常検知後のシートを第２の排紙トレイへ排出し、再印刷機能を使用する際は、再利用手順を表示することで、異常発生後のシート群をインサータへ補給して再印刷処理を行う。【選択図】図６
2019166694.tif 000002
【特許請求の範囲】
【請求項１】
印刷システムであって、
シートに画像を印刷する画像形成装置と、
画像形成装置の情報を表示する操作パネルと、
前記画像形成装置から搬送されるシート群に任意のシートを挿入する挿入手段と、を備え、
前記画像形成装置の印刷を中断する中断手段と、
前記操作パネル上の表示を制御する制御手段と、
印刷を再開する再開手段と、を有し、
前記中断手段は、前記挿入装置の異常を検知した際に、印刷を中断し、異常検知前のシートを第１の排紙トレイへ、異常検知後のシートを第２の排紙トレイへ排出し、
前記表示手段は、前記画像形成装置の印刷で使用されている前記挿入手段へシートの補給を促すことを表示し、
前記再開手段は、前記印刷中断手段によって中断されるまでに印刷されたシートについては、再印刷せずに前記挿入装置から給紙することを特徴とする印刷システム。
【請求項２】
請求項１に記載の印刷システムであって、印刷システムはさらに、
前記表示手段は、挿入装置へ、印刷再開直後以降に必要な第１の挿入シート（Ｓ６０６）と、第２の排紙トレイへ排出されたシートと、印刷再開直後に必要な第２の挿入シートの順に積載することを表示することを特徴とする印刷システム。
【請求項３】
請求項１又は２に記載の印刷システムであって、印刷システムはさらに、
前記表示手段は、前記第１の挿入シートの補給枚数と、前記第２の排紙トレイへ排出されたシートの補給枚数と、前記第２の挿入シートの補給枚数とを表示することを特徴とする印刷システム。
【請求項４】
請求項１乃至３のいずれか１項に記載の印刷システムであって、印刷システムはさらに、
前記表示手段は、前記挿入手段へ第２の排紙トレイへ排出されたシートを補給する際のシートの向きを表示することを特徴とする印刷システム。
【請求項５】
請求項１乃至４のいずれか１項に記載の印刷システムであって、印刷システムはさらに、
前記表示手段は、仕上げ処理が設定されていない場合に、第１の排紙トレイへ、印刷再開直後以降に必要な第１の挿入シートの補給と、第２の排紙トレイへ排出されたシートの補給を促す情報を表示することを特徴とする印刷システム。
【発明の詳細な説明】
【技術分野】
【０００１】
本発明は、画像形成装置に関する。
【背景技術】
【０００２】
画像形成装置に接続される給紙装置の一種として、印刷済のシート等を印刷物へ挿入するインサータがある。インサータからシートを給紙する際、挿入するシートの直前紙の有無に関係なくシートの給紙を確定させると、インサータはシートを一定距離分搬送路に引き込む。直前紙の有無による給紙判断処理を行わずに、予めインサータがシートを給紙することで、給紙準備時間などの遅延を防ぎ、生産性を向上させることができる。
【０００３】
しかし、先行するシートが突然紙なしになると、既に搬送路へ引き込んだシートは排紙できなくなり画像形成装置内に取り残されてしまう。もし強引にシートを排紙した場合は、印刷物のページ順が期待通りにならないためである。このとき、画像形成装置内に取り残されたシートは、現像・転写・定着などの印刷に必要な処理が中断されるため、正常な印刷物が得られない。従って、画像形成装置内に取り残されたシートは廃棄されてしまうことになる。特に高価なシートが使用されている商業印刷現場では、シート廃棄による生産性の損失が発生する。
【０００４】
上記問題の対策として、特許文献１に記載された技術が提案されている。特許文献１に開示された技術によれば、異常が発生した際でも印刷処理を継続し、異常発生後のシートを異常発生前のシートとは別の排紙トレイへ排紙する。異常発生後のシート群を給紙トレイに補給し、再印刷指示を出すことで、異常発生後のシートを再利用する方法が提案されている。このとき、シートを補給する給紙トレイには、シートに損傷を与える定着装置を通過せずに通紙できる挿入装置（インサータ）がもっとも適していると述べられている。
【先行技術文献】
【特許文献】
【０００５】
【特許文献１】特開２０１０−２６６７３２号公報
【発明の概要】
【発明が解決しようとする課題】
【０００６】
特許文献１に開示された技術によれば、異常発生後のシート群を補給する給紙トレイは、印刷ジョブで使用されていない給紙トレイである必要がある。したがって、印刷ジョブでインサータが使用されている場合、シートを損傷する可能性の高い給紙トレイをしなければならない。
【０００７】
本発明は上記問題点を鑑みてなされたもので、その目的は、印刷ジョブでインサータが使用されている場合でも、シートの損傷を抑えつつ、廃棄シートを抑制した再印刷機能を提供することである。
【課題を解決するための手段】
【０００８】
上記目的を達成するための本発明に係る印刷システムは、シートに画像を印刷する画像形成装置と、前記画像形成装置の情報を表示する操作パネルと、前記画像形成装置から搬送されるシート群に任意のシートを挿入する挿入手段とを備え、前記画像形成装置の印刷を中断させる中断手段と、前記操作パネル上の表示を制御する制御手段と、印刷を再開する再開手段とを有し、前記中断手段は、前記挿入装置の異常を検知した際に、印刷を中断し、異常検知前のシートを第１の排紙トレイへ、異常検知後のシートを第２の排紙トレイへ排出し、前記表示手段は、前記画像形成装置の印刷で使用されている前記挿入手段へシートの補給を促すことを表示し、前記再開手段は、前記印刷中断手段によって中断されるまでに印刷されたシートについては、再印刷せずに前記挿入装置から給紙することを特徴とする。
【発明の効果】
【０００９】
本発明によれば、印刷ジョブでインサータが使用されている場合でも、異常発生後のシート群をインサータへ補給して再印刷処理を行うことが可能となる。これにより、再印刷処理を可能とした印刷システムにおいて、シートの損傷を抑えつつ、廃棄シートの発生を抑制した再印刷機能を提供することが可能となり、生産性が向上する。
【図面の簡単な説明】
【００１０】
【図１】印刷システムのハードウェア概略構成を表すブロック図である。
【図２】プリンタエンジンのメカ断面図を表した模式図である。
【図３】印刷システムにおけるソフトウェアモジュールを表した模式図である。
【図４】印刷システムにおける給紙管理テーブルを表した模式図である。
【図５】印刷ジョブを表した模式図である。
【図６】印刷装置の動作を表すフローチャートである。
【図７】印刷装置の動作を表すフローチャートである。
【図８】印刷装置の動作を表すフローチャートである。
【図９】印刷システムにおける操作パネルに表示される画面を表した模式図である。
【図１０】第２の実施形態に係る印刷装置の動作を表すフローチャートである。
【図１１】第２の実施形態に係る印刷システムにおける操作パネルに表示される画面を表した模式図である。
【発明を実施するための形態】
【００１１】
以下、本発明を実施するための形態について図面を用いて説明する。
【００１２】
〔第１の実施形態〕
図１は、本発明に係る印刷システムの一実施形態としてのハードウェア概略構成を表すブロック図である。なお特に断らない限り、本発明の機能が実行されるのであれば、ＬＡＮ、ＷＡＮ等のネットワークを介して、接続が為され処理が行われるシステムであっても本発明を適応できることは言うまでもない。同図に示すように、本実施形態に係る印刷システムは、印刷装置１００、ホストコンピュータ１０１から構成される。また印刷装置１００、ホストコンピュータ１０１らは、それぞれ通信回線１０５によって互いに接続されている。
【００１３】
なお本発明ではホストコンピュータ、印刷装置、検査装置などが複数台接続されていても問題ない。ホストコンピュータ１０１は不図示の入力装置によるユーザからの入力情報を取得し、印刷装置１００に送信するプリントジョブを作成し、印刷装置１００へ送信することができる。コントローラボード１１０は、各種データ処理を行い、印刷装置１００の動作を制御する。ここではコントローラボード１１０が、印刷装置１００内に内蔵されるようにしたが、本発明ではコントローラボード１１０が印刷装置１００に対し独立して接続される構成でも問題ない。
【００１４】
操作パネル１２０は、タッチパネル方式でユーザからの各種操作を受け付ける操作パネルである。プリンタエンジン１３０は、コントローラボード１１０で生成された画像データを印刷用紙（シート）に物理的に印刷する。プリンタエンジン１３０については、図２のメカ断面図を用いて詳細に説明する。
【００１５】
次にコントローラボード１１０の構成について説明する。ネットワーク通信コントローラ１１１は、通信ネットワーク１０５（外部ネットワーク）との通信制御を行う。不揮発メモリ１１２は、不揮発性の記憶装置で、起動時の制御プログラムなどが記憶される。ＲＡＭ１１３は、各種制御プログラムを読み出して記録するＲＡＭである。ＣＰＵ１１４は、ＲＡＭ１１３に読み出された制御プログラムを実行し、画像信号や各種デバイスを統括的に制御するＣＰＵである。ＨＤＤ１１５は、画像データや各種設定データなどの大容量のデータを一時的あるいは長期的に保持する目的で使用されるＨＤＤである。
【００１６】
各モジュールはそれぞれシステムバス１１６を介して互いに接続される。さらにシステムバス１１６は、コントローラボード１１０と印刷装置１００内の各デバイスとを互いに接続している。なおＲＡＭ１１３はＣＰＵ１１４の主メモリ、ワークメモリとしても機能する。また制御プログラムおよびオペレーティングシステムは不揮発メモリ１１２の他にもＨＤＤ１１５にも格納される。
【００１７】
＜図２の説明＞
図２はプリンタエンジン１３０のメカ断面図である。２００はシートに印刷する画像を形成する画像形成ユニットである。２０１および２０２は給紙デッキである。各給紙デッキには、各種シートを収容しておくことが可能である。各給紙デッキでは、収容されたシートの最上位のシート一枚のみを分離し、シート搬送パス２０３へ搬送することが可能である。２０４〜２０７は現像ステーションであり、カラー画像を形成するために、それぞれＹ、Ｍ、Ｃ、Ｋの有色トナーを用いてトナー像を形成する。ここで形成されたトナー像は中間転写ベルト２０８に一次転写され、中間転写ベルト２０８は図を時計回りに回転し、２０９の二次転写位置でシート搬送パス２０３から搬送されてきたシートへとトナー像が転写される。
【００１８】
トナー像が転写されたシートは、画像定着ユニット２１０へ搬送される。２１１はトナー像をシートへ定着させるための定着ユニットである。定着ユニット２１１は加圧ローラーと加熱ローラーを備え、各ローラーの間をシートが通過することにより、トナーを溶融・圧着することでシートにトナー像を定着させる。定着ユニット２１１を抜けたシートはシート搬送パス２１２を通って２１５へと搬送される。シートの種類によって定着のためにさらに溶融・圧着が必要な場合は、定着ユニット２１１を通過した後、上のシート搬送パスを使って第二定着ユニット２１３へと搬送され、追加の溶融・圧着が施された後、シート搬送パス２１４を通って２１５へと搬送される。
【００１９】
画像形成モードが両面の場合は、２１６のシート反転パスへとシートを搬送し、２１６で反転した後、両面搬送パス２１７へとシートが搬送され、二次転写位置２０９で２面目の画像転写が行われる。
【００２０】
２２０は挿入シートを挿入するためのインサータである。インサータ２２０はインサータトレイ２２１を備えている。給紙ローラー２２２によりインサータトレイ２２１に積載されたシートのうち最上紙が下流へと搬送され、分離ローラー２２３により確実に最上紙の一枚のみが搬送パス２２４へと搬送される。インサータトレイ２２１には不図示のインサータ紙有無センサが備えられており、インサータトレイ２２１上に紙が積載されているかどうかを検知することができる。ただし複数の合紙をセットされた後、ジョブ中に連続して給紙を行う場合は停止状態のレジストローラ２２６で斜行補正を行う。
【００２１】
その後、コントローラボード１１０からの指示で水平パス２２８へ向けて搬送が開始されシートの後端がインサータ紙有無センサを抜けて初めて次の紙の有無が検知可能になる。搬送パス２２４へ搬送されたシートは、レジストセンサ２２５から所定量搬送し、停止しているレジストローラ２２６に搬送方向先端が突き当てられ、ループを形成した状態で一旦停止する。これにより、給紙搬送動作中に生じたシートの斜行が補正される。
【００２２】
そして、シートはレジストローラ２２６に先端を突き当てて所定時間停止した後、分離ローラー２２３、レジストローラ２２６、排紙ローラー２２７が駆動され、シートは搬送パス２２４と水平パス２２８の合流部を経て搬送される。これにより、画像定着ユニット２１０から搬送される一連のシート群に、任意の位置でシートを挿入させて後続装置へ搬送させることが可能となる。
【００２３】
２５０はユーザに指定された機能に応じ、搬送されたシートに対してフィニッシング処理を加えるフィニッシャである。フィニッシャ２５０では、具体的にはステープル（１個所・２箇所綴じ）やパンチ（２穴・３穴）や中とじ製本等のフィニッシング機能を有する。フィニッシャ２５０は、２５１と２５２の２つの排紙トレイを備え、シート搬送パス２５３を経由して排紙トレイ２５１に出力される。ただしシート搬送パス２５３ではステイプル等のフィニッシング処理を行うことはできない。
【００２４】
ステイプル等のフィニッシング処理を行う場合は、シート搬送パス２５４を経由して処理部２５５でユーザに指定されたフィニッシング機能が実行され、排紙トレイ２５２へ出力される。排紙トレイ２５１および２５２はそれぞれ昇降することが可能であり、排紙トレイ２５１を下降させ、処理部２５５でフィニッシング処理したシートを排紙トレイ２５１へ積載するように動作することも可能である。中とじ製本が指定された場合には中とじ処理部２５６で、シート中央にステイプル処理をした後、シートを二つ折りにしてシート搬送パス２５７を経由して中とじ製本トレイ２５８へ出力される。
【００２５】
中とじ製本トレイ２５８はベルトコンベア構成になっており、中とじ製本トレイ２５８上に積載された中とじ製本束は左側へ搬送される構成となっている。
【００２６】
＜図３の説明＞
図３は、本実施形態に係るコントローラボード１１０のソフトウェア構成を示すブロック図である。これらのソフトウェアモジュールは、ＨＤＤ１１５にプログラムとして格納されＣＰＵ１１４によってＲＡＭ１１３に読み出され実行される。
【００２７】
ＵＩ制御部３０１は、操作パネル１２０での操作を受け付け、操作パネル１２０やホストコンピュータ１０１の表示の制御を行う。印刷ジョブ解析部３０２は、ホストコンピュータ１０１から受け付けた印刷ジョブデータを解析する。印刷ジョブ管理部３０３は、ホストコンピュータ１０１から受け付けた印刷ジョブデータを管理する。具体的には、ＨＤＤ１１５に保存された印刷ジョブの呼び出しや、印刷ジョブ設定変更の反映、印刷済みのジョブの履歴管理などの処理を行う。
【００２８】
印刷ジョブ処理部３０４は、受け付けた印刷ジョブの解析、画像データへの展開、画像圧縮伸長など、印刷処理実行に必要な処理を行う。印刷処理実行部３０５は、印刷ジョブに対する給紙、紙搬送、印字、排紙などの一連の印刷動作を制御する。排紙枚数カウント部３０６は、印刷処理実行部３０５の印刷状況から排紙情報を解析し、排紙トレイ２５１や排紙トレイ２５２に排紙されたシートの枚数をカウントし、排紙枚数記憶部３０７に保存する。
【００２９】
排紙枚数記憶部３０７は、印刷ジョブが処理される毎に、印刷装置１００にある各排紙トレイに排紙されたシートの枚数を記憶する。インサータ紙残量判定部３０８は、インサータトレイ２２１上にあるインサータ紙有無センサを監視し、インサータ２２０で紙なしが発生したか否かを判断する。給紙管理テーブル３０９は、印刷装置１００がシートを給紙する際に参照する表である。給紙管理テーブルの詳細は後述する。
【００３０】
＜図４の説明＞
図４は、印刷装置１００がシートを給紙する際に参照する給紙管理テーブルを表した模式図である。給紙管理テーブルは、印刷装置１００が印刷ジョブの印刷処理が開始した際、ＣＰＵ１１４によって印刷ジョブに含まれる印刷設定が解析されることで生成される。
【００３１】
列４０１はジョブＩＤを表す。ジョブＩＤは、印刷装置１００が受け付けた各ジョブに一意に割り与えるＩＤである。列４０２は、各ジョブで使用されるシートを順に番号付けしたシート番号を表す。給紙管理テーブルはこのシート番号毎に行が追加される。列４０３は、対応するシートの給紙元となる給紙トレイを表す。給紙トレイは印刷ジョブに含まれる用紙サイズ、用紙タイプなどの用紙指定と給紙トレイに設定された用紙情報などから一つに決定される。
【００３２】
列４０４は、対応するシートの各面（１面目、２面目）に対して印刷される画像のページ番号を表す。シートが両面印刷である場合は、１面目と２面目それぞれにページ番号が割与えられる。シートが片面印刷である場合は、２面目の印刷ページは「なし」となる。さらにインサータ給紙など印刷を伴わないシートである場合、１面目・２面目ともに印刷ページが「なし」となる。
【００３３】
印刷ジョブの印刷処理が開始されると、ＣＰＵ１１４はまず給紙管理テーブルを生成し、その後給紙管理テーブルを参照して各シートの給紙指示を行う。４１０は給紙管理テーブルの現在の参照位置を示すシートポインタであり、ＣＰＵ１１４は各シートの給紙が終わると次のシートへシートポインタ４１０を進める。
【００３４】
＜図５（ａ）の説明＞
図５は、先頭にインサータ２０１から２枚のシートを挿入し、その後、給紙トレイ２０１から２枚のシートを給紙し印刷処理を行う部を４部印刷する印刷ジョブを表す模式図である。
【００３５】
図５（ａ）は、図４（ａ）で示された印刷ジョブを開始した際に期待されるシートの排紙順と給紙トレイの関係を表す図である。１、２、５、６、９、１０、１３、１４枚目のシートはインサータトレイ２２１から給紙されたものが排紙される。一方、３、４、７、８、１１、１２、１５、１６枚目のシートは給紙トレイ２０１から給紙され、画像形成ユニット２００と画像定着ユニット２１０によって印刷処理を施されたものが排紙される。
【００３６】
＜図６の説明＞
図６のフローチャートに係るコントローラボード１１０のプログラムは、図１のＨＤＤ１１５に格納されており、ＲＡＭ１１３に読み出されＣＰＵ１１４によって実行される。ホストコンピュータ１０１によって印刷ジョブが印刷装置１００に投入され、印刷処理が開始された後に、本フローチャートが開始される。
【００３７】
Ｓ６０１において、排紙枚数カウント部３０６は、印刷処理中の印刷ジョブによって指定された排紙トレイ（以降、第１の排紙トレイと呼ぶ）に排紙されたシートの枚数をカウントする。その後、カウントした情報を排紙枚数記憶部３０７に保存する。Ｓ６０２において、インサータ紙残量判定部３０８は、インサータトレイ２２１で紙なしが発生したか否かを判断する。インサータトレイ２２１で紙なしが発生した場合（Ｙｅｓ）はＳ６０３へ、そうでない場合（Ｎｏ）はＳ６１４へ進む。Ｓ６０３において、印刷処理実行部３０５は、シートの排紙先を第１の排紙トレイとは別の排紙トレイ（以降、第２の排紙トレイと呼ぶ）へ変更する。その後、シート搬送パス（２０３、２１２、２１４、２１５、２２８、２４４など）上にあるシートを第２の排紙トレイへ搬送処理を行う。
【００３８】
Ｓ６０４において、排紙枚数カウント部３０６は、第２の排紙トレイに排紙されたシートの枚数をカウントする。その後、カウントした情報を排紙枚数記憶部３０７に保存する。Ｓ６０５において、印刷ジョブ解析部３０２は、排紙枚数記憶部３０７と給紙管理テーブル３０９から「必要な挿入シートの枚数（Ｐ）」と「ジョブ再開直後に必要な挿入シートの枚数（Ｎ）」と「ジョブ再開直後以降に必要な挿入シートの枚数（Ｑ）」を求める。詳細フローは図７で説明する。
【００３９】
Ｓ６０６において、ＵＩ制御部３０１は、操作パネル１２０に、インサータトレイ２２１へ「ジョブ再開直後以降に必要な挿入シート」Ｑ枚をセットする指示を表示する。操作パネル１２０の表示例を図９（ａ）に示す。インサータ２２０は、インサータトレイ２２１に積載されたシートの最上紙から給紙する。したがって、インサータトレイ２２１の最下部には、インサータトレイ２２１で紙なしが発生したシート以降に必要な挿入シートをセットする必要がある。図９（ａ）内の「次へ」ボタンが押下されると、Ｓ６０７へ進む。
【００４０】
Ｓ６０７において、印刷ジョブ解析部３０２は、Ｓ６０５にて解析した情報をもとに、再印刷処理実行時にインサータトレイ２２１から給紙するシートを求める。その後、印刷ジョブ管理部３０３は、インサータトレイ２２１から給紙するシートについて、給紙管理テーブル３０９の給紙トレイ列４０３を「インサータトレイ」へ変更する。詳細フローは図８で説明する。
【００４１】
Ｓ６０８において、印刷ジョブ管理部３０４は、インサータトレイ２２１にセットされた挿入シートがシート搬送パス（２２４、２２８など）を経由し、排紙トレイに排紙された際に、シートの向きが裏返しで排紙されるか否かを判断する。なお、排紙されるシートの向きは、印刷装置１００の機器構成によって一意に定めることができる。裏返しで排紙される場合（Ｙｅｓ）はＳ６０９へ、そうでない場合（Ｎｏ）はＳ６１０へ進む。
【００４２】
Ｓ６０９において、ＵＩ制御部３０１は、操作パネル１２０に、第２の排紙トレイの印刷物を裏返す指示を表示する。操作パネル１２０の表示例を図９（ｂ）に示す。インサータ２２０では、インサータトレイ２２１から給紙したシートはシート搬送パス２２４、２２８を経由することで、排紙時のシートの表裏、前後が切り替わる。したがって、ユーザの期待する向きでシートを排紙トレイへ排紙するためには、インサータトレイ２２１へのシートのセットの向きを考慮する必要がある。Ｓ６０９にて、操作パネル１２０上にシートのセットの向きを表示することで、ユーザが正しい向きでシートをセットできるようになる。図９（ｂ）内の「次へ」ボタンが押下されると、Ｓ６１０へ進む。
【００４３】
Ｓ６１０において、ＵＩ制御部３０１は、操作パネル１２０に、インサータトレイ２２１へ第２の排紙トレイの印刷物をセットする指示を表示する。操作パネル１２０の表示例を図９（ｃ）に示す。図９（ｃ）内の「次へ」ボタンが押下されると、Ｓ６１１へ進む。
【００４４】
Ｓ６１１において、ＵＩ制御部３０１は、操作パネル１２０に、インサータトレイ２２１へ「ジョブ再開直後に必要な挿入シート」Ｎ枚をセットする指示を表示する。インサータ２２０は、インサータトレイ２２１に積載されたシートの最上紙から給紙する。したがって、インサータトレイ２２１の最上部には、インサータトレイ２２１で紙なしが発生した際に本来給紙したかった枚数分の挿入シートをセットする必要がある。操作パネル１２０の表示例を図９（ｄ）に示す。
【００４５】
Ｓ６１２において、ＵＩ制御部３０１は、操作パネル１２０上に表示された図９（ｄ）の画面において、印刷再開ボタンを押下されたか否かを判断する。押下された場合（Ｙｅｓ）はＳ６１３へ、そうでない場合（Ｎｏ）はＳ６１２へ進む。Ｓ６１３において、印刷ジョブ実行部３０５は、給紙管理テーブル３０９内のシートポインタ４１０のある行から印刷再開処理を実行する。Ｓ６１４において、印刷ジョブ管理部３０３は、実行中の印刷ジョブが終了したか否かを判断する。ジョブが終了した場合（Ｙｅｓ）は本フローチャートを終了し、そうでない場合（Ｎｏ）はＳ６０１へ進む。
【００４６】
＜図７の説明＞
図７のフローチャートに係るコントローラボード１１０のプログラムは、図１のＨＤＤ１１５に格納されており、ＲＡＭ１１３に読み出されＣＰＵ１１４によって実行される。本フローチャートは、前述のＳ６０５において挿入シートの解析が要求されることで開始される。
【００４７】
Ｓ７０１において、印刷ジョブ解析部３０２は、挿入紙に関する各種数値を初期化する。具体的には、「印刷ジョブ再開後に必要な挿入シートの枚数（Ｐ）」と「ジョブ再開直後に必要な挿入シートの枚数（Ｎ）」を０で初期化する。Ｓ７０２において、印刷ジョブ解析部３０２は、Ｓ６０１で求めた第１の排紙トレイへの排紙枚数（Ｌ）から、給紙管理テーブル３０９を参照し、インサータトレイ２２１の紙なしが発生したシート番号を求める。第１の排紙トレイにはインサータトレイ２２１で紙なしが発生する前のシートが排紙されるので、インサータトレイ２２１で紙なしが発生したシート番号は、第１の排紙トレイへ排紙されたシートの次のシートである（Ｌ＋１）。
【００４８】
Ｓ７０３において、印刷ジョブ解析部３０２は、Ｓ７０３で求めたシート番号の給紙トレイを参照し、給紙トレイがインサータトレイであるか否かを判断する。インサータトレイであった場合（Ｙｅｓ）はＳ７０４へ、そうでない場合（Ｎｏ）はＳ７０５へ進む。Ｓ７０４において、印刷ジョブ解析部３０２は、「印刷ジョブ再開後に必要な挿入シートの枚数（Ｐ）」を数える。
【００４９】
Ｓ７０５において、印刷ジョブ解析部３０２は、Ｓ７０３で判断した給紙トレイがインサータトレイ以外へ初めて切り替わりが行われたか否かを判断する。切り替わりが行われた場合（Ｙｅｓ）はＳ７０６へ、そうでない場合（Ｎｏ）はＳ７０７へ進む。Ｓ７０６において、印刷ジョブ解析部３０２は、「ジョブ再開直後に必要な挿入シートの枚数（Ｎ）」を求める。挿入シートの枚数（Ｎ）は、「現在のシート番号（Ｓ７０３で解析したシート番号）」から「紙なし発生時のシート番号（Ｓ７０２で解析したシート番号）」を差し引くことで求める。
【００５０】
Ｓ７０７において、印刷ジョブ解析部３０２は、給紙管理テーブル３０９上に記憶されているシート番号全てを処理したか否かを判断する。全て処理した場合（Ｙｅｓ）はＳ７０８へ進む。そうでない場合はＳ７０３へ進み、次のシート番号の給紙トレイを参照する。Ｓ７０８において、印刷ジョブ解析部３０２は、「ジョブ再開直後以降に必要な挿入シートの枚数（Ｑ）」を求める。挿入シートの枚数（Ｑ）は、「ジョブ再開後に必要な挿入シートの総数（Ｐ）」から「ジョブ再開直後に必要な挿入シート（Ｎ）」を差し引くことで求める。
【００５１】
＜図８の説明＞
図８のフローチャートに係るコントローラボード１１０のプログラムは、図１のＨＤＤ１１５に格納されており、ＲＡＭ１１３に読み出されＣＰＵ１１４によって実行される。本フローチャートは、前述のＳ６０７において給紙管理テーブルの更新が要求されることで開始される。
【００５２】
Ｓ８０１において、印刷ジョブ解析部３０２は、Ｓ７０２と同様にして、インサータトレイ２２１の紙なしが発生したシート番号を求める。Ｓ８０２において、印刷ジョブ管理部３０３は、Ｓ８０１で求めたシート番号の給紙トレイを「インサータトレイ」に変更する。また、印刷ページを「１面目：なし、２面目：なし」に変更する。これにより、印刷が再開された際には、変更された給紙管理テーブルに従い給紙動作が行われ、印刷ジョブ再開直後のシートがインサータから給紙されるようになる。
【００５３】
Ｓ８０３において、印刷ジョブ解析部３０２は、給紙管理テーブル３０９にて、すでに印刷済みのシート番号全てを処理したか否かを判断する。印刷済みのシート番号は、「第１の排紙トレイへの排紙枚数（Ｌ）」と「第２の排紙トレイへの排紙枚数（Ｍ）」と「ジョブ再開直後に必要な挿入シートの枚数（Ｎ）」の総和から求めることができる。全て処理した場合（Ｙｅｓ）はＳ８０４へ進む。そうでない場合（Ｎｏ）はＳ８０２へ進み、次のシート番号を参照する。
【００５４】
Ｓ８０４において、印刷ジョブ管理部３０４は、シートポインタ４１０を、インサータトレイ２２１で紙なしが発生したシート番号（Ｌ＋１）に戻す。これにより、印刷が再開された際には、印刷が中断されたシートから印刷ジョブを再開することができる。
【００５５】
＜図９の説明＞
図９（ａ）はＳ６０６で表示される画面を表した模式図である。画面上には、Ｓ７０８で求めた「ジョブ再開直後以降に必要な挿入シートの枚数（Ｑ）」の挿入シートをセットする指示を表示する。９１１に示す「次へ」ボタンが押下されると、Ｓ６０７の処理へ進む。
【００５６】
図９（ｂ）はＳ６０９で表示される画面を表した模式図である。画面上には、第２の排紙トレイ（図９では、排紙トレイ［上］）の印刷物を裏返す指示を表示する。画面上に表示される排紙トレイは、９２２に示すように、Ｓ６０３にて印刷処理実行部３０５によって選ばれた排紙トレイが分かる情報を表示することが好ましい。９２１に示す「次へ」ボタンが押下されると、Ｓ６１０の処理へ進む。
【００５７】
図９（ｃ）はＳ６１０で表示される画面を表した模式図である。画面上には、第２の排紙トレイの印刷物をインサータへセットする指示を表示する。画面上に表示される排紙トレイは、９３２に示すように、Ｓ６０３にて印刷処理実行部３０５によって選ばれた排紙トレイが分かる情報を表示することが好ましい。９３１に示す「次へ」ボタンが押下されると、Ｓ６１１の処理へ進む。
【００５８】
図９（ｄ）はＳ６１１で表示される画面を表した模式図である。画面上には、Ｓ７０６で求めた「ジョブ再開直後に必要な挿入シートの枚数（Ｎ）」の挿入シートをセットする指示を表示する。９４１に示す「印刷再開」ボタンが押下されると、Ｓ６１２の処理へ進む。
【００５９】
次に、図４（ａ）と図５（ａ）で表された印刷ジョブにて、実際にインサータで紙なしが発生した場合のシート搬送、給紙管理テーブルの変化について、図４（ｂ）、図５（ｂ）、図５（ｃ）を用いて補足説明する。
【００６０】
＜図５（ｂ）、図５（ｃ）の説明＞
図５（ｂ）は、図４（ａ）で示された印刷ジョブ中において、５、６枚目の挿入シートが紙なしになった場合の各シートの状態を表す模式図である。
【００６１】
紙なし発生前の１、２、３、４、枚目のシートは、第１の排紙トレイへ排紙される。紙なし発生後の５、６枚目のシートは、Ｓ６０３により、第２の排紙トレイへ排紙される。９〜１６枚目のシートは印刷処理が行われていないシートである。このとき、図６のフローチャートによって解析される情報を図５（ｃ）に示す。第１の排紙トレイへ排紙されるシートは、１、２、３、４、枚目のシートであるため、Ｓ６０１によって求められる「第１の排紙トレイへの排紙枚数（Ｌ）」は４となる。第２の排紙トレイへ排紙されるシートは、７、８枚目のシートであるため、Ｓ６０４によって求められる「第２の排紙トレイへの排紙枚数（Ｍ）」は２となる。
【００６２】
Ｓ７０２によって求められる「紙なし発生時のシート番号（Ｌ＋１）」は５となる。Ｓ７０４によって求められる「印刷ジョブ再開後に必要な挿入シートの枚数（Ｐ）」は６となる。Ｓ７０６によって求められる「ジョブ再開直後に必要な挿入シートの枚数（Ｎ）」は２となる。Ｓ７０８によって求められる「ジョブ再開直後以降に必要な挿入シートの枚数（Ｑ）」は４となる。
【００６３】
＜図４（ｂ）の説明＞
図４（ｂ）は、図７で説明したフローチャートにて変更された給紙管理テーブルを表した模式図である。
【００６４】
図４（ａ）は、図５（ｂ）の時点における給紙管理テーブルを表す。印刷ジョブの８シート目まで給紙が完了しているので、シートポインタはシート９を指している。図４（ｂ）は、図５（ｂ）の時点において、図８のフローチャートを実施した後の給紙管理テーブルを表す。ステップＳ８０４の処理によりシートポインタ４１０がインサータトレイ２２１で紙なしが発生したシートであるシート番号５に戻っている。またステップＳ８０２の処理によりシート番号５〜シート番号１０の給紙トレイと印刷ページがそれぞれ「インサータトレイ２２１」、「１面目：なし、２面目：なし」に変更されている（４２０で示す部分）。これにより印刷再開時には、シート番号５から再印刷が行われ、シート番号５〜シート番号１０がインサータトレイ２２１から給紙されるようになる。
【００６５】
以上のような印刷システムにより、印刷ジョブでインサータが使用されている場合でも、異常発生後のシート群をインサータへ補給して再印刷処理を行うことが可能となる。これにより、再印刷処理を可能とした印刷システムにおいて、シートの損傷を抑えつつ、廃棄シートの発生を抑制した再印刷機能を提供することが可能となり、生産性が向上する。
【００６６】
［第２の実施形態］
第１の実施形態では、印刷装置１００内部に取り残されたシートを、第２の排紙トレイへ排紙し、インサータトレイ２２１に補給することでそのシートを再利用する例を説明した。そのため、いかなる印刷ジョブにおいても、シートを再利用する場合は印刷装置１００内部のシート搬送パスを通す必要があった。
【００６７】
しかしながら、例えばフィニッシング処理が指定されていない印刷ジョブでは、再利用するシートは印刷装置１００内部のシート搬送パスを通過するだけで、印刷装置による追加処理が発生しない。この場合は、シートを損傷させる恐れのあるシート搬送パスを使用せずに、シートを再利用する方が効率的である。
【００６８】
そこで、第２の実施形態では、第２の排紙トレイに排紙されたものをインサータトレイ２２１にセットせず、第１の排紙トレイにセットすることでシートを再利用する例について説明する。
【００６９】
なお、本実施形態では、第１の実施形態と異なる部分のみ説明し、同じ構成については同一の符号を用いて説明する。また、第２の実施形態に係る印刷システムのハードウェア概略構成、ソフトウェアモジュールは、第１の実施形態の図１、図２、図３で説明したものと同様である。
【００７０】
＜図１０の説明＞
図１０のフローチャートに係るコントローラボード１１０のプログラムは、図１のＨＤＤ１１５に格納されており、ＲＡＭ１１３に読み出されＣＰＵ１１４によって実行される。ホストコンピュータ１０１によって印刷ジョブが印刷装置１００に投入され、印刷処理が開始された後に、本フローチャートが開始される。なお図１０において、図６で説明したステップと同じ処理を行うステップについては同じ符号を付し、その説明を省略する。
【００７１】
Ｓ１００１において、印刷ジョブ解析部３０２は、現在印刷中の印刷ジョブに対して印刷装置でのフィニッシング処理（ステープル、パンチなど）が必要か否かを判断する。印刷ジョブ設定を解析し、フィニッシング処理の指定がある場合は印刷装置でのフィニッシング処理が必要（Ｙｅｓ）と判断し、指定がない場合はフィニッシング処理が不要（Ｎｏ）と判断する。その他の手段として、印刷装置の機器構成から判断することも可能である。フィニッシング処理を行う装置であるフィニッシャ２５０が、印刷装置１００に接続されていない場合は、印刷装置でのフィニッシング処理を行うことができない。
【００７２】
したがって、印刷装置での追加処理が不要（Ｎｏ）と判断できる。印刷装置でのフィニッシング処理が必要な場合（Ｙｅｓ）はＳ６０７へ、そうでない場合（Ｎｏ）はＳ１００２へ進む。
【００７３】
Ｓ１００２において、ＵＩ制御部３０１は、操作パネル１２０に、第１の排紙トレイへ「ジョブ再開直後に必要な挿入シート」Ｎ枚をセットする指示を表示する。操作パネル１２０の表示例を図１１（ａ）に示す。図１１（ａ）内の「次へ」ボタンが押下されると、Ｓ１００３へ進む。
【００７４】
Ｓ１００３において、ＵＩ制御部３０１は、操作パネル１２０に、第１の排紙トレイへ第２の排紙トレイの印刷物をセットする指示を表示する。操作パネル１２０の表示例を図１１（ｂ）に示す。図１１（ｂ）内の「次へ」ボタンが押下されると、Ｓ６１２へ進む。
【００７５】
＜図１１の説明＞
図１１（ａ）はＳ１００２で表示される画面を表した模式図である。画面上には、Ｓ７０６で求めた「ジョブ再開直後に必要な挿入シートの枚数（Ｎ）」の挿入シートをセットする指示を表示する。１１１１に示す「次へ」ボタンが押下されると、Ｓ１００３の処理へ進む。
【００７６】
図１１（ｂ）はＳ１００３で表示される画面を表した模式図である。画面上には、第２の排紙トレイ（図１１では、排紙トレイ［上］）の印刷物を第１の排紙トレイ（図１１では、排紙トレイ［下］）へセットする指示を表示する。画面上に表示される排紙トレイは、１１２２、１１２３に示すように、Ｓ６０３にて印刷処理実行部３０５によって選ばれた排紙トレイが分かる情報を表示することが好ましい。１１２１に示す「印刷再開」ボタンが押下されると、Ｓ６１２の処理へ進む。
【００７７】
第１の実施形態と同様に、図４（ａ）と図５（ａ）で表された印刷ジョブにて、実際にインサータで紙なしが発生した場合のシート搬送、給紙管理テーブルの変化について、図５（ｂ）、図５（ｃ）を用いて補足説明する。
【００７８】
Ｓ１００１において印刷装置でのフィニッシング処理が必要と判断された場合（Ｙｅｓ）は、第１の実施形態と同じ処理を行う。Ｓ１００１において印刷装置でのフィニッシング処理が必要でないと判断された場合（Ｎｏ）を説明する。
【００７９】
第２の実施形態におけるシート搬送は、第１の実施形態との差がないため、各シートの状態は第１の実施形態で説明した図５（ｂ）、図５（ｃ）と同様である。第２の実施形態では、再利用するシートを、ユーザの手によって第１のトレイへセットする案内を表示する。したがって、印刷処理実行部３０５は再利用するシートを考慮する必要がないため、シートポインタは印刷中断時から変更せず、給紙管理テーブルは図４（ａ）と同一のものとなる。
【００８０】
以上のような印刷システムにより、異常発生後のシート群を、ユーザの手によって再利用することが容易となる。これにより、再印刷処理を可能とした印刷システムにおいて、シートの損傷を最小限に抑えつつ、廃棄シートの発生を抑制した再印刷機能を提供することが可能となり、生産性が向上する。
【符号の説明】
【００８１】
１００  印刷装置
１０１  ホストコンピュータ
１１０  コントローラボード
１１１  ネットワーク通信コントローラ
１１２  不揮発メモリ
１１３  ＲＡＭ
１１４  ＣＰＵ
１１５  ＨＤＤ
１１７  システムバス
１２０  操作パネル
１３０  プリンタエンジン
２００  画像形成ユニット
２１０  画像定着ユニット
２２０  インサータ
２５０  フィニッシャ
【図１】
2019166694.tif 000003
【図２】
2019166694.tif 000004
【図３】
2019166694.tif 000005
【図４】
2019166694.tif 000006
【図５】
2019166694.tif 000007
【図６】
2019166694.tif 000008
【図７】
2019166694.tif 000009
【図８】
2019166694.tif 000010
【図９】
2019166694.tif 000011
【図１０】
2019166694.tif 000012
【図１１】
2019166694.tif 000013